(57)【要約】      （修正有）【課題】１〜複数の子供又は子供と大人が、屋内外において、道具を使わないで四〜六角形状の遊戯用ハウスを、簡便に組み立てることができる簡易組み立てハウスを提供する。【解決手段】長方形で同寸大とした第１壁板１〜第５壁板及び扉構成体６からなる、壁面構成体Ｗと、二等辺三角形状の同寸大とした第１天板１１〜 第６天板１６からなる、屋根構成体Ｒとからなり、第１壁板１〜第５壁板及び扉構成体６、第１天板１１〜 第６天板１６のそれぞれを、折曲可能に連結し、壁面構成体Ｗと屋根構成体Ｒの形状を保持する、面ファスナー１６ｃと、止着具８と摘み具１０とよりなる。【選択図】図３
0003119330.tif 000002
【実用新案登録請求の範囲】
【請求項１】
正面視長方形状の同寸大とした５枚の壁板からなる、壁面構成体と、
前記壁面構成体と同寸大で、開閉扉を形成すると共に、一側端側には折曲可能に固定片を隣設してなる扉構成体と、
平面視二等辺三角形状の同寸大とした６枚の天板からなる、屋根構成体と、
前記５枚の壁板と扉構成体及び前記６枚の天板のそれぞれを、折曲可能に連結する、接合部材と、
前記壁面構成体、扉構成体及び屋根構成体の形状保持部材と、
前記壁面構成体及び扉構成体と屋根構成体を、止着する止着具と、
屋根構成体の中心部に装着される摘み具と、
よりなることを特徴とする、簡易組み立てハウス。
【請求項２】
前記壁面構成体、扉構成体、屋根構成体、接合部材、形状保持部材、止着具及び摘み具により、平面視四角形状、五角形状及び六角形状のハウスが形成されることを特徴とする、請求項１記載の簡易組み立てハウス。
【請求項３】
前記形状保持部材が、面ファスナーであることを特徴とする、請求項１ないし請求項２記載の簡易組み立てハウス。
【請求項４】
前記壁面構成体の壁板、扉構成体、固定片及び屋根構成体の天板は、合成樹脂製ダンボールを素材とすることを特徴とする、請求項１ないし請求項３記載の簡易組み立てハウス。
【請求項５】
前記壁板及び天板には、採光及び通気用の開口部が形成されると共に、天板の下方中央部には、前記止着具に対応する係合穴を穿設していることを特徴とする、請求項１ないし請求項４記載の簡易組み立てハウス。
【請求項６】
前記壁板及び天板は、各種の色彩が着色されていることを特徴とする、請求項１ないし請求項５記載の簡易組み立てハウス。
【請求項７】
前記壁板及び天板には、組み立て又は折り畳み時の目印となる数字、動物、アニメキャラクター、果物、植物又は乗り物等の絵入りシールが貼付されていることを特徴とする、請求項１ないし請求項６記載の簡易組み立てハウス。
【請求項８】
前記接合部材が、接着テープ、面ファスナー又はスライドレールであることを特徴とする、請求項１、請求項２、請求項４のいずれか記載の簡易組み立てハウス。
【考案の詳細な説明】
【技術分野】
【０００１】
本考案は、簡易組み立てハウスに係り、より詳しくは、就学前の幼児から小学校低学年児童までの１〜複数の子供又は子供と大人が、屋内外において、道具を使わないで四〜六角形状の遊戯用ハウスを簡便に組み立てることができる、簡易組み立てハウスに関する。
【背景技術】
【０００２】
従来より、ダンボール、厚紙製の簡易組み立てハウスが市販されているが、その組み立てに際しては、接着剤、接着テープ等を必要としている。接着剤や接着テープ等を使用すれば子供の手や衣服に接着剤が付着したり、床面等を汚したりするので、子供用の遊戯具としては好ましくない。
【０００３】
上記の不具合を解消するために、特開２００１−７５３の「紙製家屋の組立玩具」及び登録実用新案３０５１１８８の「段ボール紙を使用した組立遊具の家」が提案、開示されている。
【０００４】
特開２００１−７５３の「紙製家屋の組立玩具」は、四方の側壁片から成る筒状の側壁部分が一方の対向するコーナーで折り畳まれ、前記側壁部分の何れかの側壁片に開閉可能な出入口が設けられ、前記側壁部分の一方の対応する側壁片の上方に上部折曲線を介して屋根片が夫々連設されると共に、この屋根片の上端に複数の係合片が夫々対応して突設され、一方の屋根片の係合片の基部に同一側より水平な切り込みが設けられると共に、この屋根片の係合片の切り込みと切り込み同士が係合離脱するよう、他方の屋根片の係合片の基部に反対側より水平な切り込みが設けられ、前記側壁部分の他方の対応する側壁片の上方に上部折曲線を介して屋根片が夫々連設されると共に、四方の側壁片の下方に下部折曲線を介して床板片が連設されていることを特徴としている。
【０００５】
しかしながら特開２００１−７５３は、ボール紙等の厚紙を使用し、屋根片には切り込みが設けられた複数の係合片を介して屋根部分を係合離脱するために、組み立て、分解を繰り返せば、係合片と切り込み部が次第に損傷するので長期の使用に耐えられない、また損傷部分から飛散する紙粉塵は、子供の健康上にも悪いという、欠点を有している。
【０００６】
登録実用新案３０５１１８８の「段ボール紙を使用した組立遊具の家」は、家を屋根、体部、底部と一体の体部の３点に分け、各部材にかさねしろを設け、かさねしろとかさねあわせる部分に通しの穴をもうけ、ボルトとナットで固定、もしくは取り外し可能な止め具によって固定、又はバンドによって固定することを特徴としている。
【０００７】
上記の登録実用新案３０５１１８８は、各部材のかさねしろをボルトとナットで固定するので、その作業は煩瑣であり、また幼い子供にはボルト、ナットによる固定は困難であるという欠点がある。
【特許文献１】特開２００１−７５３号公報
【特許文献２】登録実用新案第３０５１１８８号公報
【考案の開示】
【考案が解決しようとする課題】
【０００８】
本考案者は、上述の従来技術、特許文献１及び特許文献２が有する種々の欠点を解消するために、鋭意検討を重ねて本考案を完成したもので、その課題は、就学前の幼児から小学低学年児童までの１〜複数の子供又は子供と大人が、屋内外において、道具を使わないで四〜六角形状の遊戯用ハウスを簡便に組み立てることができる、簡易組み立てハウスを提供することにある。
【課題を解決するための手段】
【０００９】
上記の課題を達成するために、本考案のうち請求項１記載の考案は、正面視長方形状の同寸大とした５枚の壁板からなる、壁面構成体と、前記壁面構成体と同寸大で、開閉扉を形成すると共に、一側端側には折曲可能に固定片を隣設してなる扉構成体と、平面視二等辺三角形状の同寸大とした６枚の天板からなる、屋根構成体と、前記５枚の壁板と扉構成体及び前記６枚の天板のそれぞれを、折曲可能に連結する、接合部材と、前記壁面構成体、扉構成体及び屋根構成体の形状保持部材と、前記壁面構成体及び扉構成体と屋根構成体を、止着する止着具と、屋根構成体の中心部に装着される摘み具と、よりなることを特徴としている。
【００１０】
課題を達成するための請求項２記載の考案は、請求項１記載の考案にあって、前記壁面構成体、扉構成体、屋根構成体、接合部材、形状保持部材、止着具及び摘み具により、平面視四角形状、五角形状及び六角形状のハウスが形成されることを特徴としている。
【００１１】
課題を達成するための請求項３の考案は、請求項１ないし請求項２記載の考案にあって、前記形状保持部材が、面ファスナーであることを特徴としている。
【００１２】
課題を達成するための請求項４の考案は、請求項１ないし請求項３記載の考案にあって、前記壁面構成体の壁板、扉構成体、固定片及び屋根構成体の天板は、合成樹脂製ダンボールを素材とすることを特徴としている。
【００１３】
課題を達成するための請求項５の考案は、請求項１ないし請求項４記載の考案にあって、前記壁板及び天板には、採光及び通気用の開口部が形成されると共に、天板の下方中央部には、前記止着具に対応する係合穴を穿設していることを特徴としている。
【００１４】
課題を達成するための請求項６の考案は、請求項１ないし請求項５記載の考案にあって、前記壁板及び天板は、各種の色彩が着色されていることを特徴としている。
【００１５】
課題を達成するための請求項７の考案は、請求項１ないし請求項６記載の考案にあって、前記壁板及び天板には、組み立て又は折り畳み時の目印となる数字、動物、アニメキャラクター、果物、植物又は乗り物等の絵入りシールが貼付されていることを特徴としている。
【００１６】
課題を達成するための請求項８の考案は、請求項１、請求項２、請求項４のいずれか記載の考案にあって、前記接合部材が、接着テープ、面ファスナー又はスライドレールであることを特徴としている。
【考案の効果】
【００１７】
本考案に係る、簡易組み立てハウスは、上記の構成になるから以下の効果を奏する。即ち請求項１ないし請求項３及び請求項５記載の考案によれば、構成する主な部材は、連結された５枚の壁板からなる、壁面構成体、扉構成体及び６枚の天板を連結した屋根構成体の二点セットからなる簡単な構成であるため、なんらの道具も使用しないで、子供の人数に合わせて、かつ子供のみ又は例えば子供の親等が協力し、四〜六角形状のハウスを短時間で組み立て、分解、折り畳み及び収納が容易にできる。
【００１８】
請求項４記載の考案によれば、壁面構成体の壁板、扉構成体、固定片及び屋根構成体の天板は、合成樹脂製ダンボールを素材としているので、軽量であるから組み立て、分解、移動等が容易である。また耐水性、耐衝撃性があるので破損し難く、したがって長期の使用にも耐えることができ、また耐薬品性もあるので、ハウス内での水性ペン等による壁板への落書き等も、自由かつ闊達自在に子供を遊ばせることができるので、性格形成上も好ましい。
【００１９】
請求項５及び請求項６記載の考案によれば、壁板及び天板には、採光及び通気用の開口部が形成されているので、子供はハウス内での読書、ゲーム等を楽しむことができ、また壁板及び天板は、各種の色彩が着色されているので、子供が好む色彩が着色された組み立てハウスを選択し、購入できるので長期の使用に飽きることがない。
【００２０】
請求項７記載の考案によれば、壁板及び天板には、数字、各種の動物、アニメキャラクター、果物、植物又は乗り物等の絵入りシールが貼付されているので、これらが、ハウスの組み立て、分解、折り畳み時等の目印となり、子供は嬉々としてそれらの作業を行い、整理整頓の習慣を身につける効果をもたらすことができる。
【００２１】
請求項８記載の考案によれば、壁板と壁板又は壁板と扉構成体及び天板と天板は、接着テープ、面ファスナー又はスライドレールの接合部材を介して予め、それぞれ折り畳み自在に接合されているので、壁面構成体、扉構成体及び屋根構成体の形成が、簡便かつ容易にできる効果を奏する。
【考案を実施するための最良の形態】
【００２２】
以下、本考案に係る、簡易組み立てハウス（以下、ハウスＨという）における最良の実施形態を、図面を参照しながら説明する。図１（イ）は、壁面構成体Ｗの正面展開図、図１（ロ）は、壁面構成体Ｗの背面展開図、図２（イ）は、屋根構成体Ｒの平面展開図、図２（ロ）は、屋根構成体Ｒの底面展開図、図３（イ）〜（チ）は、六角形状のハウスＨの組み立て順序を示す斜視図、図４（イ）〜（ロ）は、六角形状のハウスＨの分解と折り畳み順序を示す斜視図、図５（イ）〜（ハ）は、五角形状のハウスＨの組み立て順序を示す斜視図、図６（イ）〜（ハ）は、四角形状のハウスＨの組み立て順序を示す斜視図、図７は止着具と壁板の固定部を示す拡大斜視図、図８は、スライドレールによる接合部の一部を示す平断面図である。
【００２３】
図１（イ）及び（ロ）に示す、壁面構成体Ｗは、第１壁板１、第２壁板２、第３壁板３、第４壁板４及び第５壁板５からなり、第１壁板１の右側端と第２壁板２の左側端、第２壁板２の右側端と第３壁板３の左側端、第３壁板３の右側端と第４壁板４の左側端、第４壁板４の右側端と第５壁板５の左側端及び第５壁板５の右側端には扉構成体６の左側端が、それぞれ約５ｍｍの隙間を形成し、接合部材、例えばビニールテープ７を介して折り畳み自在に接合されている。
【００２４】
第１壁板１〜第５壁板５及び扉構成体６は、長方形状の同寸大、例えば短手寸法を約４５ｃｍ〜４６ｃｍ、長手寸法を約６１ｃｍ〜６２ｃｍ、厚さ約５ｍｍとしている。図１（イ）に示すように、第１壁板１には通気及び採光用の開口部１ａと１ｂが形成され、またその左側端部には形状保持部材として、面ファスナー１ｃが３枚略等間隔に装着され、さらにその上部左角部には、数字２の数字シール１ｄ及びうさぎシール１ｅが貼付されている。図１（ロ）に示すように、第１壁板１の背面右側端上部には面ファスナー１ｃが１枚装着され、さらにその左側近傍には、パンダシール１ｆが貼付されている。なお第１壁板１〜第５壁板５及び扉構成体６に図示された８は、壁面構成体Ｗ及び扉構成体６と屋根構成体Ｒを止着する止着具である（図７、参照）。
【００２５】
図１（イ）に示すように、第２壁板２の正面左側端部には、面ファスナー２ｃが３枚略等間隔に装着され、さらにその右側端上部右角部には、数字２の数字シール２ｄ及びうさぎシール２ｅが貼付され、また右側端上部には面ファスナー２ｃが１枚装着されている。また図１（ロ）に示すように、第２壁板２の背面右側端上部には面ファスナー２ｃが１枚装着され、さらにその左側近傍には、数字５の数字シール２ｄ及びうさぎシール２ｅが貼付され、またその左側端上部には面ファスナー２ｃが１枚装着され、さらにその右側近傍には、パンダシール２ｆが貼付されている。
【００２６】
図１（イ）に示す、第３壁板３の略中央には、開口部３ａが形成され、また正面左側端部には、面ファスナー３ｃが３枚略等間隔に装着され、さらにその上部左角部には、数字３の数字シール３ｄが貼付されている。図１（ロ）に示す、第３壁板３の背面左側端上部には面ファスナー３ｃが１枚装着され、さらにその右側近傍には、数字５の数字シール３ｄ及びうさぎシール３ｅが貼付されている。
【００２７】
図１（イ）に示す、第４壁板４の正面右側端上部右角部には、数字３の数字シール４ｄが貼付され、図１（ロ）に示す、第４壁板４の背面右側端上部には数字４の数字シール４ｄが貼付されている。
【００２８】
図１（イ）に示す、第５壁板５には開口部５ａと５ｂが形成され、また正面左側端上部左角部には、数字１の数字シール５ｄが貼付され、図１（ロ）に示す、第５壁板５の背面左側端上部左角部には、数字４の数字シール５ｄが貼付されている。また第５壁板５の正面右側端は、扉構成体６の正面左側端とビニールテープ７を介して折り畳み自在に接合されている。図１（イ）に示す扉構成体６の正面右側端は、扉構成体６の長手寸法を同寸とした固定片９の左側端とビニールテープ７を介して折り畳み自在に接合されている。扉構成体６には、折線６ａをヒンジとする開閉扉６ｂが形成され、その下方にはノブ６ｅが装着され、開閉扉６ｂ右上角部には数字１の数字シール６ｄが貼付されている。図１（ロ）に示す、扉構成体６の背面には、逆コ字状の補強板６ｆが貼付されている。固定片９の背面左側端部には、３枚の面ファスナー９ｃが略等間隔に装着されている。
【００２９】
図２（イ）及び（ロ）に示すように、屋根構成体Ｒは、平面視二等辺三角形状の同寸大とした第１天板１１、第２天板１２、第３天板１３、第４天板１４、第５天板１５及び第６天板１６からなり、短辺の長さを約５２ｃｍ、各長辺の長さを約７０ｃｍ、厚さ約５ｍｍとしている。１０は屋根構成体Ｒの中心部に装着された摘み具で、図２（イ）において、第１天板１１の左側辺と第２天板１２の右側辺、第２天板１２の左側辺と第３天板１３の右側辺、第３天板１３の左側辺と第４天板１４の右側辺、第４天板１４の左側辺と第５天板１５の右側辺及び第５天板１５の左側辺と第６天板１６の右側辺は、それぞれ約５ｍｍの隙間を形成し、ビニールテープ７等を介して折り畳み自在に接合されている。また第１天板１１の略中央には開口部１１ａが形成され、その下方には係合穴１１ｂが穿設され、平面左側辺端部には３枚の面ファスナー１１ｃが略等間隔に貼付されている。右側辺下方角部にはうさぎシール１１ｅが貼付されている。図２（ロ）に示す、第１天板１１の底面左側辺端部には３枚の面ファスナー１１ｃが略等間隔に貼付され、その下方左角部には数字２の数字シール１１ｄとパンダシール１１ｆが貼付されている。
【００３０】
図２（イ）に示す第２天板１２の下方中央には、係合穴１２ｂが穿設され、右側辺下方角部には、数字５の数字シール１２ｄが貼付され、左側辺下方角部には、うさぎシール１２ｅが貼付されている。図２（ロ）に示す第２天板１２の底面下方右角部には数字２の数字シール１２ｄとパンダシール１２ｆ、また左角部にはうさぎシール１２ｅがそれぞれ貼付されている。
【００３１】
図２（イ）に示す第３天板１３の略中央には、開口部１３ａが形成され、その下方には係合穴１３ｂが穿設され、左側辺下方角部には、数字５の数字シール１３ｄが貼付されている。図２（ロ）に示す、第３天板１３の底面下方左角部には数字３の数字シール１３ｄ、右角部にはうさぎシール１３ｅが貼付されている。
【００３２】
図２（イ）に示す第４天板１４の下方中央には、係合穴１４ｂが穿設され、右側辺下方角部には、数字４の数字シール１４ｄが貼付されている。図２（ロ）に示す、第４天板１４の底面下方右角部には数字３の数字シール１４ｄが貼付されている。
【００３３】
図２（イ）に示す第５天板１５の略中央には、開口部１５ａが形成され、その下方中央には、係合穴１５ｂが穿設され、左側辺下方角部には、数字４の数字シール１５ｄが貼付されている。図２（ロ）に示す、第５天板１５の底面下方左角部には数字１の数字シール１５ｄが貼付されている。
【００３４】
図２（イ）に示す第６天板１６の下方中央には、係合穴１６ｂが穿設され、左側辺端部には３枚の面ファスナー１６ｃが略等間隔に貼付されている。図２（ロ）に示す、第６天板１６の下方右角部には数字１の数字シール１６ｄが貼付されている。
【００３５】
上述した、壁面構成体Ｗの第１壁板１〜第５壁板５、扉構成体６、固定片９及び屋根構成体Ｒの第１天板１１〜第６天板１６は、合成樹脂材例えばポリプロピレン（ＰＰ）を主材料としたダンボール形状のシート板である、ダンプラ（登録商標：東罐興業（株））が好適に使用される。また壁面構成体Ｗ、屋根構成体Ｒの四角形〜六角形の形状保持部材及び第１壁板１〜第５壁板５、第１天板１１〜第６天板１６等の接合部材である、面ファスナーとしては、マジックテープ（登録商標：（株）クラレ）、ベルクロファスナー（登録商標：ベルクロインダストリー）等が好適に使用される。
【００３６】
次に、図３（イ）〜（チ）を参照して、六角形状のハウスＨの組み立て順序について説明する。（イ）に示すように、壁面構成体Ｗの第１壁板１〜第５壁板５及び扉構成体６を立設した後、（ロ）のように展開し、固定片９の面ファスナー９ｃを第１壁板１の面ファスナー１ｃに圧着すれば、六角形状の壁面構成体Ｗが形成される。（ハ）は、屋根構成体Ｒの第１天板１１〜第６天板１６を床面等に拡開した状態を示し、この状態から屋根構成体Ｒの中心にある摘み具１０を、（ニ）に示す矢印方向Ｐに引き上げると、六角錐の屋根構成体Ｒが形成される（ホ）。これを（ヘ）のように形状を整え、これを（ロ）の壁面構成体Ｗ上に載置し、（ト）に示すように、第１壁板１〜第５壁板５及び扉構成体６に装着している止着具８（図７、参照）を、それぞれ対応する第１天板１１〜第６天板１６の係合穴１１ｂ〜１６ｂに挿入して止着し、全体の形状を整えて六角形状ハウスＨの組み立ては完了する（チ）。なお、止着具８は、図７に示すように、ピン８ａ及び伸縮性紐体８ｂからなり、該ピン８ａ及び伸縮性紐体８ｂは、各壁板に穿設された挿通穴８ｃ、８ｄを介して締結、固定されている。
【００３７】
六角形状ハウスＨを分解し折り畳むには、図３（チ）に示す状態から、各天板と各壁板に止着している止着具８を全て取り外すと共に、屋根構成体Ｒを床面に降ろし、図４（イ）に示すように、第１天板１１の面ファスナー１１ｃ、１１ｃ、１１ｃから第６天板１６のファスナー１６ｃ、１６ｃ、１６ｃを分離し、図２（ロ）に示す、第６天板１６の右端下方角部の数字１の数字シール１６ｄを、隣接の第５天板１５の左端下方角部の数字１の数字シール１５ｄに重ねて折り畳み、続いて第１天板１１の数字２の数字シール１１ｄを、隣接の第２天板１２の数字２の数字シール１２ｄに重ねて折り畳み、さらに第３天板１３の数字３の数字シール１３ｄを、隣接の第４天板１４の数字３の数字シール１４ｄに重ねて折り畳んで、屋根構成体Ｒの分解、折り畳み作業は完了する。また、壁面構成体Ｗの折り畳みは、図４（ロ）に示すように、第１壁板１の数字２の数字シール１ｄ（以下、図１（イ）、参照）を、隣接の第２壁板２の数字２の数字シール２ｄに重ねて折り畳み、次に第３壁板３の数字３の数字シール３ｄを、隣接の第４壁板４の数字３の数字シール４ｄに重ねて折り畳み、さらに第５壁板５の数字１の数字シール５ｄを、隣接の第６壁板６の数字１の数字シール６ｄに重ねて折り畳み壁面構成体Ｒの分解、折り畳み作業は完了する。
【００３８】
図５（イ）〜（ハ）は、五角形状ハウスＨの組み立て順序を示し、（イ）に示すように、第１壁板１のパンダシール１ｆを、第２壁板２のパンダシール２ｆに重ねて折り畳み、図１（イ）、（ロ）に示す、第２壁板２の面ファスナー２ｃ、２ｃ、２ｃに、固定片９の面ファスナー９ｃ、９ｃ、９ｃを圧着すれば、図５（ロ）に示すような五角形の壁面構成体Ｗが形成され、続いて第１天板１１のパンダシール１１ｆ（図２（ロ）、参照）を、隣接の第２天板１２のパンダシール１２ｆに重ねて折り畳み、第１天板１１の面ファスナー１１ｃ、１１ｃ、１１ｃに、第６天板の面ファスナー１６ｃ、１６ｃ、１６ｃを圧着すれば、図５（ハ）に示すような、五角錐の屋根構成体Ｒが形成されるので、これを（ロ）に示す壁面構成体Ｗ上に載置し、第２壁板２〜第５壁板５及び扉構成体６に装着している止着具８を、それぞれ対応する第２天板１２〜第６天板１６の係合穴１２ｂ〜１６ｂに挿入して止着し、全体の形状を整えて五角形状ハウスＨの組み立ては完了する。
【００３９】
図６（イ）〜（ハ）は、四角形状のハウスＨの組み立て順序を示し、（イ）に示すように、第２壁板２のうさぎシール２ｅを、第３壁板３のうさぎシール３ｅを重ねて折り畳み、さらに第１壁板１のうさぎシール１ｅを、第２壁板２のうさぎシール２ｅに重ねて折り畳み、図１（イ）に示す、第３壁板３の面ファスナー３ｃ、３ｃ、３ｃに、固定片９の面ファスナー９ｃ、９ｃ、９ｃを圧着すれば図６（ロ）に示すような４角形の壁面構成体Ｗが形成され、続いて図２（イ）、（ロ）に示す第１天板１１、第２天板１２、第３天板１３のうさぎシール１１ｅ、１２ｅ及び１３ｅを、順次重ねて折り畳み、第１天板１１の面ファスナー１１ｃ、１１ｃ、１１ｃに、第６天板１６の面ファスナー１６ｃ、１６ｃ、１６ｃを圧着すれば、図６（ハ）に示す四角錐の屋根構成体Ｒが形成され、これを（ロ）に示す壁面構成体Ｗ上に載置し、第３壁板３〜第５壁板５及び扉構成体６に装着している止着具８を、それぞれ対応する第３天板１３〜第６天板１６の係合穴１３ｂ〜１６ｂに挿入して止着し、全体の形状を整えて四角形状ハウスＨの組み立ては完了する。
【００４０】
五角形状ハウスＨ及び四角形状ハウスＨの分解、折り畳み作業は、六角形状ハウスＨを分解し折り畳む順序と同様に、屋根構成体Ｒと壁面構成体Ｗを止着している止着具８を全て取り外した後、屋根構成体Ｒの面ファスナー１６ｃ、１６ｃ、１６ｃを分離し、第１天板１１〜第６天板１６の下方角部に貼付している、１〜５の各数字シールを１と１、２と２、３と３、４と４及び５と５を重ねると、扁平状に折り畳むことができる。壁面構成体Ｗは、固定片９の面ファスナー９ｃ、９ｃ、９ｃを分離し、第１壁板１〜第５壁板５及び扉構成体６の上方角部に貼付している、１〜５の各数字シールを１と１、２と２、３と３、４と４及び５と５を重ねると、扁平状に折り畳むことができる。
【００４１】
図８は、壁板と壁板又は天板と天板を接合する接合部材を、他の実施態様であるスライドレール２０とした状態を示し、該スライドレール２０は、凹部２０ａと凸部２０ｂからなり、例えば凹部２０ａは、壁板２１の右端部２１ａに接着剤等により固定され、凸部２０ｂは壁板２２の左端部２２ａに接着剤等により固定され、図示する矢印のように回転自在に接合されている。また図示していないが、適宜長さに切断した面ファスナーを、壁板と壁板又は天板と天板に装着して、回転自在な接合部材とすることもできる。
【図面の簡単な説明】
【００４２】
【図１】（イ）は、壁面構成体Ｗの正面展開図である。（ロ）は、壁面構成体Ｗの背              面展開図である。
【図２】（イ）は、屋根構成体Ｒの平面展開図である。（ロ）は、屋根面構成体Ｒの底面展          開図である。
【図３】（イ）〜（チ）は、六角形状ハウスＨの組み立て順序を示す斜視図である。
【図４】（イ）〜（ロ）は、六角形状ハウスＨの分解と折り畳み順序を示す斜視図である。
【図５】（イ）〜（ハ）は、五角形状ハウスＨの組み立て順序を示す斜視図である。
【図６】（イ）〜（ハ）は、四角形状ハウスＨの組み立て順序を示す斜視図である。
【図７】は、止着具と壁板の固定部を示す拡大斜視図である。
【図８】は、スライドレールによる接合部の一部を示す平断面図である。
【符号の説明】
【００４３】
Ｈ                                               ハウス
Ｗ                                               壁面構成体
Ｒ                                               屋根構成体
１                                               第１壁板
２                                               第２壁板
３                                                第３壁板
４                                               第４壁板
５                                               第５壁板
６                                               扉構成体６
７                                                ビニールテープ
８                                                 止着具
９                                                  固定片
１０                                               摘み具
１１                                               第１天板
１２                                               第２天板
１３                                               第３天板
１４                                               第４天板
１５                                               第５天板
１６                                               第６天板
１ａ 、１ｂ、３ａ 、５ａ 、５ｂ                         開口部          
１１ａ 、１３ａ 、１５ａ                                 開口部          
１１ｂ、１２ｂ、１３ｂ、１４ｂ、１５ｂ、１６ｂ     係合穴
１ｃ、２ｃ、３ｃ、９ｃ、１１ｃ、１６ｃ             面ファスナー
１ｄ、２ｄ、３ｄ、４ｄ、５ｄ、６ｄ                 数字シール
１ｅ、２ｅ、３ｅ                                   うさぎシール
１ｆ、２ｆ                                         パンダシール
１１ｄ、１２ｄ、１３ｄ、１４ｄ、１５ｄ、１６ｄ     数字シール
１１ｅ、１２ｅ、１３ｅ                             うさぎシール
１１ｆ、１２ｆ                                     パンダシール
２０                                                 スライドレール
２０ａ                                                凹部
２０ｂ                                                凸部
【図１】
0003119330.tif 000003
【図２】
0003119330.tif 000004
【図３】
0003119330.tif 000005
【図４】
0003119330.tif 000006
【図５】
0003119330.tif 000007
【図６】
0003119330.tif 000008
【図７】
0003119330.tif 000009
【図８】
0003119330.tif 000010